(57)【要約】【課題】断熱性・気密性の高い建物における屋根裏空間の湿気を簡易かつ確実に排出し、屋根裏空間に面した木質部材の結露・腐朽を防止する屋根裏脱気構造を提案する。【解決手段】屋根２と居室天井３と妻小壁４とで囲まれた屋根裏空間５の湿気を排出する屋根裏脱気構造であって、妻小壁４の外側に張り出した屋根２の下方に軒裏空間をあけて軒天井が張設されるとともに、該軒天井に外気連通口が形成され、軒裏空間に面するように妻小壁４の上部に脱気開口が形成され、脱気開口及び外気連通口を介して屋根裏空間５が外気に連通されている。【選択図】  図１
2004162322.tif 000002
【特許請求の範囲】
【請求項１】
屋根と居室天井と妻小壁とで囲まれた屋根裏空間の湿気を排出する屋根裏脱気構造であって、
前記妻小壁の外側に張り出した前記屋根の下方に軒裏空間をあけて軒天井が張設されるとともに、該軒天井に外気連通口が形成され、
前記軒裏空間に面するように前記妻小壁の上部に脱気開口が形成され、この脱気開口及び前記外気連通口を介して前記屋根裏空間が外気に連通されている、
ことを特徴とする屋根裏脱気構造。
【請求項２】
上枠、下枠、縦枠、頭つなぎを備える枠組に面材が張着され、前記頭つなぎに脱気開口が形成されていることを特徴とする妻小壁パネル。
【発明の詳細な説明】
【０００１】
【発明の属する技術分野】
本発明は、断熱性・気密性の高い建物における屋根裏空間の湿気を簡易かつ確実に排出し、屋根裏空間に面した木質部材の結露・腐朽を防止するための屋根裏脱気構造と、これに用いられる妻小壁パネルに関する。
【０００２】
【従来の技術】
近年の建物は断熱性・気密性が高く、屋根裏空間に湿気が滞留しやすくなっているため、屋根裏空間に面した木質部材が結露・腐朽してしまうことがある。たとえば図５に示す形状の建物１において、妻小壁４の断熱性が屋根２の断熱性に比べて相対的に低くなっているときには、屋根２と居室天井３と妻小壁４とで囲まれた屋根裏空間５において、冬季に妻小壁４の内側付近の湿度が相対的に高くなり、妻小壁４を構成する木質部材が結露・腐朽してしまうことがある。
【０００３】
かかる事態を回避するための方策として、たとえば、図６に示した建物では、妻小壁４に設けた換気装置１３により屋根裏空間５の換気が行われるようになっている（特許文献１参照）。また、図７に示した建物では、棟部に立上形成された換気筒部１４により屋根裏空間５及び居室の換気が行われるようになっている（特許文献２参照）。さらに、図８に示した建物では、屋根裏空間５の棟部近傍に開口する屋根裏側開口部１５と屋外に開口する屋外側開口部１６との間に換気装置１７が設けられ、この換気装置１７により屋根裏空間５が強制的に換気されるようになっている（特許文献３参照）。
【０００４】
【特許文献１】
特開２００１−２６２７２７号公報
（［０００９］，図１）
【特許文献２】
特開２００２−２６６４４４号公報
（［００１４］−［００１５］，図１）
【特許文献３】
特開２００１−２９６０４５号公報
（［００３４］，図１）
【０００５】
【発明が解決しようとする課題】
しかし、特許文献１に開示された建物では、外観上目立つ妻小壁４に換気装置１３が露出しているため、美観が損なわれてしまうという欠点がある。また、特許文献２に開示された建物では、外観上目立つ棟部に立上形成された換気筒部１４によって美観が損なわれてしまうとともに、棟部の納まりが複雑となって工事のコストや手間が増大してしまうという欠点がある。さらに、特許文献３に開示された建物では、換気装置１７の設置コストがかかるだけでなく、居室への振動伝播対策のための追加工事等も必要となるので、極めてコストが高くなるという欠点がある。
【０００６】
本発明は以上のような事情に鑑みてなされたものであって、断熱性・気密性の高い建物における屋根裏空間の湿気を簡易かつ確実に排出し、屋根裏空間に面した木質部材の結露・腐朽を防止する屋根裏脱気構造と、かかる屋根裏脱気構造を簡易に実現するための妻小壁パネルを提案することを目的としている。
【０００７】
【課題を解決するための手段】
すなわち、請求項１に係る発明は、屋根と居室天井と妻小壁とで囲まれた屋根裏空間の湿気を排出する屋根裏脱気構造であって、前記妻小壁の外側に張り出した前記屋根の下方に軒裏空間をあけて軒天井が張設されるとともに、該軒天井に外気連通口が形成され、前記軒裏空間に面するように前記妻小壁の上部に脱気開口が形成され、この脱気開口及び前記外気連通口を介して前記屋根裏空間が外気に連通されている、ことを特徴とする。
【０００８】
かかる屋根裏脱気構造は、妻小壁の上部に形成された脱気開口により、屋根裏空間が軒裏空間に連通し、軒裏空間は外気連通口によって外気に連通している。したがって、妻小壁の上部に脱気開口を形成するという簡易な構成により、屋根裏空間を確実に外気に連通させて脱気することができる。
【０００９】
また、請求項２に係る発明は、上枠、下枠、縦枠、頭つなぎを備える枠組に面材が張着され、前記頭つなぎに脱気開口が形成されていることを特徴とする妻小壁パネルである。
【００１０】
かかる妻小壁パネルは、頭つなぎに脱気開口が形成されているので、頭つなぎの上に屋根を架設したときに、簡易かつ確実に屋根裏空間を軒裏空間に連通させることができる。
【００１１】
【発明の実施の形態】
以下、添付図面を参照して、本発明の実施の形態を詳細に説明する。なお、説明において、同一要素には同一符号を用い、重複する説明は省略する。
【００１２】
図１は本発明に係る屋根裏脱気構造の一実施形態を表す斜視図である。同図に示す建物１は、切妻形の屋根２を冠した枠組壁工法建物であり、屋根２と居室天井３と妻小壁４とで囲まれた屋根裏空間５を有している。
【００１３】
屋根２は、妻小壁４、棟木６、桁行外壁７等に傾斜状態で釘打固定された屋根パネル２Ａ，２Ａ，…により構成されている。屋根パネル２Ａは、図１のＸ−Ｘ断面図である図３（ａ）に示すように、フォームポリスチレン２ａの四周に枠材２ｂを配置し、これらを一対の構造用面材２ｃ，２ｃで上下から挟み込んだ構成であり、妻小壁４、妻壁８よりも断熱性の高いものとなっている。
【００１４】
妻小壁４は、妻壁８の上に位置する正面視三角形状の妻小壁パネル４Ａからなる。妻小壁パネル４Ａは、図２に示すように、傾斜して配置された一対の上枠４ａ，４ａと、これらの上枠４ａ，４ａの上に重ねて傾斜配置された一対の頭つなぎ４ｂ，４ｂと、下枠４ｃと、下枠４ｃと上枠４ａとを結ぶ複数本の縦枠４ｄ，４ｄ，…とで形成された枠組の外側面に構造用面材４ｅを釘打張着したものである。そして、各頭つなぎ４ｂには、妻小壁パネル４Ａの内外を連通するスリット形の脱気開口４ｆが形成されている。
【００１５】
図３（ａ）に示すように、妻小壁パネル４Ａの内部空間（隣り合う縦枠４ｄ，４ｄと、外側の構造用面材４ｅとで囲まれた空間）には、グラスウール等の断熱材４ｈが充填されており、妻壁８と同程度の断熱性を有している。居室天井３には断熱措置が施されておらず、屋根パネル２Ａは妻小壁パネル４Ａよりも断熱性が高い。したがって、冬季の屋根裏空間５においては、妻小壁パネル４Ａの内側近傍の湿度が相対的に高くなりやすい。
【００１６】
ところが、図１、図２、図３（ａ）に示すように、妻小壁パネル４Ａの頭つなぎ４ｂの上に屋根パネル２Ａが載置固定されると、妻小壁パネル４Ａの脱気開口４ｆが、屋根裏空間５を軒裏空間９に連通させることになる。軒裏空間９は妻小壁４の外側に張り出した屋根パネル２Ａの下面と軒天井１０との間の空間であり、脱気開口４ｆはちょうどこの軒裏空間９に面するようになっている。また、軒天井１０の先端部（けらば部近傍）には、外気連通口１１が形成されている。したがって、外気よりも屋根裏空間５の湿度が高い場合には、図３中の矢印で示したように、屋根裏空間５の湿気が、脱気開口４ｆ、軒裏空間９、外気連通口１１を通って外部に排出される。なお、図３（ａ）中の符号１２は通気野縁である。図３（ｂ）に示すように、通気野縁１２の上面には複数本の凹溝１２ａ，１２ａ，…が形成されている。したがって、凹溝１２ａの方向を屋根裏空間５からけらば部に向かう方向に一致させて、通気野縁１２を屋根パネル２Ａと軒天井１０との間に介在させることにより、軒裏空間９中で外気連通口１１に向かう湿気は凹溝１２ａを通るようになっている。
【００１７】
以上のように、本発明の屋根裏脱気構造によれば、妻小壁４を構成する妻小壁パネル４Ａの頭つなぎ４ｂに、軒裏空間９に面するように脱気開口４ｆを形成するという簡易な措置により、屋根裏空間５を外気に連通させて脱気し、屋根裏空間５に面する木質部材の結露・腐朽を確実に防止できる。
【００１８】
なお、本発明は、上記実施形態に限定されるものではなく、適宜の変更実施が可能である。たとえば、妻小壁パネル４Ａは三角形状（屋根２は切妻形）に限定されるわけではなく、図４に示すような他の種類の妻小壁パネルとすることが可能である。図４（ａ）の妻小壁パネル４Ｂは、図２の妻小壁パネル４Ａと略同様であるが、脱気開口４ｆが各頭つなぎ４ｂに二箇所ずつ形成され、その深さも頭つなぎ４ｂの全高さ分ではなく約半分となっている点で異なる。図４（ｂ）の妻小壁パネル４Ｃは、図２の妻小壁パネル４Ａを左右等分に分割した形状となっている。また、図４（ｃ）の妻小壁パネル４Ｄは正面視半円形状であり、図４（ｄ）の妻小壁パネル４Ｅは正面視多角形状である。つまり、本発明における妻小壁パネルの正面視形状は特段限定されるものではなく、その上部の頭つなぎ４ｂに屋根裏空間５と軒裏空間９とを連通する脱気開口４ｆが形成されているものであればよい。脱気開口４ｆの形状もスリット形（溝形）に限定されず、頭つなぎ４ｂを内外方向に貫通する孔等としてもよい。脱気開口４ｆの位置や数、開口面積についても、建設地の気象条件や建物の使用条件等に応じて適宜定めればよい。
【００１９】
また、妻小壁４として妻小壁パネルを用いることなく、これを現場組みとしてもよい。外気連通口１１は軒天井１０自体に穿設された孔でもよいし、別途の専用換気金物を用いてもよい。通気野縁１２も必須ではなく、軒裏空間９における屋根裏空間５から外気連通口１１への空気の流れを妨げないようになっていればよい。
【００２０】
【発明の効果】
以上のように、本発明によれば、妻小壁の上部に脱気開口を形成して屋根裏空間を軒裏空間及び外気に連通させることにより、簡易かつ確実に屋根裏空間を脱気し、屋根裏空間に面する木質部材の結露・腐朽を防止することができる。
【図面の簡単な説明】
【図１】本発明に係る屋根裏脱気構造の一実施形態を表す斜視図である。
【図２】本発明に係る妻小壁パネルの一実施形態を表す正面図である。
【図３】（ａ）は図１のＸ−Ｘ断面図であり、（ｂ）は（ａ）の通気野縁の斜視図である。
【図４】本発明に係る妻小壁パネルの他の実施形態を表す正面図である。
【図５】建物の屋根裏空間を表す斜視図である。
【図６】特許文献１に開示された従来の建物を表す斜視図である。
【図７】特許文献２に開示された従来の建物を表す断面図である。
【図８】特許文献３に開示された従来の建物を表す断面図である。
【符号の説明】
１    …  建物
２    …  屋根
２Ａ  …  屋根パネル
２ａ  …  フォームポリスチレン
２ｂ  …  枠材
２ｃ  …  構造用面材
３    …  居室天井
４    …  妻小壁
４ａ  …  上枠
４ｂ  …  頭つなぎ
４ｃ  …  下枠
４ｄ  …  縦枠
４ｅ  …  構造用面材
４ｆ  …  脱気開口
４ｈ  …  断熱材
５    …  屋根裏空間
６    …  棟木
７    …  桁行外壁
８    …  妻壁
９    …  軒裏空間
１０    …  軒天井
１１    …  外気連通口
１２    …  通気野縁
【図１】
2004162322.tif 000003
【図２】
2004162322.tif 000004
【図３】
2004162322.tif 000005
【図４】
2004162322.tif 000006
【図５】
2004162322.tif 000007
【図６】
2004162322.tif 000008
【図７】
2004162322.tif 000009
【図８】
2004162322.tif 000010